(57)【要約】【課題】  インクジェット記録方法によって印字した場合に、インクの定着性と発一性が共に良好なインクジェット記録用インクを提供すること。【解決手段】  水と、色材と、ノニオン性界面活性剤とを含有するインクジェット記録用インクであって、下記の一般式（１）で表される化合物を含有することを特徴とするインクジェット記録用インク。一般式（１）【化１】2009280704.tif 000016【選択図】  なし【特許請求の範囲】
【請求項１】
水と、色材と、ノニオン性界面活性剤とを含有するインクジェット記録用インクであって、下記の一般式（１）で表される化合物を含有することを特徴とするインクジェット記録用インク。
一般式（１）
【化１】
2009280704.tif 000015
【請求項２】
前記一般式（１）で表される化合物の含有量が、インク全量の６．０質量％以上、３６．０質量％以下である請求項１に記載のインクジェット記録用インク。
【請求項３】
インク全量に対して、前記一般式（１）で表される化合物の含有量をａ質量％、前記ノニオン性界面活性剤の含有量をｂ質量％としたときに、前記ａとｂが、
４．０＜ａ／ｂ＜５１．０
の関係を満たす請求項１又は２に記載のインクジェット記録用インク。
【請求項４】
前記ａとｂが、
１６．０＜ａ／ｂ＜３４．０
の関係を満たす請求項３に記載のインクジェット記録用インク。
【請求項５】
前記一般式（１）で表される化合物が４−ピコリンである請求項１〜４のいずれか１項に記載のインクジェット記録用インク。
【請求項６】
請求項１〜５のいずれか１項に記載のインクを記録媒体に向けて吐出し、記録媒体に付着させる工程を有することを特徴とするインクジェット記録方法。
【発明の詳細な説明】
【技術分野】
【０００１】
本発明は、インクジェット記録用インク及びインクジェット記録方法に関する。
【背景技術】
【０００２】
インクジェット記録方法により、コピー用紙、レター紙等のいわゆる普通紙や、コート紙、光沢紙等に印字する場合、インク中にノニオン性界面活性剤を含有させることで定着性に優れた画像が得られることが知られている（特許文献１、特許文献２参照）。
【特許文献１】特開昭５５−６５２６９号公報
【特許文献２】特開平０７−２８６１１３号公報
【発明の開示】
【発明が解決しようとする課題】
【０００３】
特許文献１及び２に記載のインクは、画像の定着向上には一定の効果が見られる。しかし、本発明者らの検討によれば、これらのインクは、一定期間記録ヘッドを印字させない状態で大気中に曝露すると、大気中に曝露されている非印字ノズル部において、インク中の揮発成分が蒸発しやすい。この結果、ノニオン性界面活性剤を含有しているためインクの粘度が高くなりやすく、近年要求されるようなインクジェット吐出特性が得られない場合がある。このように吐出特性が劣化することを、発一性が劣化するという。逆に、一定期間記録ヘッドを印字させない状態で大気中に曝露した場合でも、記録ヘッドの吐出特性が良好な場合を、発一性が良好であるという。
【０００４】
従って、本発明の目的は、インクジェット記録方法によって印字した場合に、インクの定着性と発一性が共に良好なインクジェット記録用インクを提供することである。
【課題を解決するための手段】
【０００５】
本発明の目的は、以下の構成により達成される。
【０００６】
即ち、本発明は、水と、色材と、ノニオン性界面活性剤とを含有するインクジェット記録用インクであって、下記の一般式（１）で表される化合物を含有することを特徴とするインクジェット記録用インクである。
【０００７】
一般式（１）
【０００８】
【化１】
2009280704.tif 000002
【０００９】
また、本発明の別の態様は、前記インクを記録媒体に向けて吐出し、記録媒体に付着させる工程を有することを特徴とするインクジェット記録方法である。
【発明の効果】
【００１０】
本発明によれば、インクの定着性と発一性が共に良好なインクジェット記録用インク及びインクジェット記録方法を提供できる。
【発明を実施するための最良の形態】
【００１１】
以下、好ましい実施の形態を挙げて、本発明を更に詳細に説明する。
本発明のインクに用いる色材としては、染料及び顔料が挙げられる。
【００１２】
染料としては、下記のような染料を用いることが好ましい。例えば、Ｃ．Ｉ．ダイレクトブラック１７、１９、３２、５１、６２、７１、１０８、１４６、１５４。Ｃ．Ｉ．ダイレクトブルー６、２２、２５、７１、８６、９０、１０６、１９９。Ｃ．Ｉ．ダイレクトレッド１、４、１７、２８、８３。Ｃ．Ｉ．ダイレクトイエロー１２、２４、２６、４４、８６、９８、１００、１３２、１４２。Ｃ．Ｉ．ダイレクトオレンジ３４、３９、４４、４６、６０。Ｃ．Ｉ．ダイレクトバイオレット４７、４８。Ｃ．Ｉ．ダイレクトブラウン１０９。Ｃ．Ｉ．ダイレクトグリーン５９等の直接染料。Ｃ．Ｉ．アシッドブラック２、７、２４、２６、３１、５２、６３、１１２、１１８。Ｃ．Ｉ．アシッドブルー９、２２、４０、５９、９３、１０２、１０４、１１３、１１７、１２０、１６７、２２９、２３４、２５４。Ｃ．Ｉ．アシッドレッド１、６、８、３２、３７、５１、５２、８０、８５、８７、９２、９４、１１５、１８０、２５６、３１７、３１５。Ｃ．Ｉ．アシッドイエロー１１、１７、２３、２５、２９、４２、４９、６１、７１。Ｃ．Ｉ．アシッドオレンジ７、１９。Ｃ．Ｉ．アシッドバイオレット４９等の酸性染料。Ｃ．Ｉ．リアクティブイエロー２、３、１３、１５、１７、１８、２３、２４、３７、４２、５７、５８、６４、７５、７６、７７、７９、８１、８４、８５、８７、８８、９１、９２、９３、９５。１０２、１１１、１１５、１１６、１３０、１３１、１３２、１３３、１３５、１３６、１３７、１３９、１４０、１４２、１４３、１４４、１４５、１４６、１４７、１４８、１５１、１６２、１６３。Ｃ．Ｉ．リアクティブオレンジ５、７、１１、１２、１３、１５、１６、３５、４５、４６、５６、６２、７０、７２、７４、８２、８４、８７、９１、９２、９３、９５、９７、９９。Ｃ．Ｉ．リアクティブレッド３、１３、１６、２１、２２、２３、２４、２９、３１、３３、３５、４５、４９、５５、６３、８５。１０６、１０９、１１１、１１２、１１３、１１４、１１８、１２６、１２８、１３０、１３１、１４１、１５１、１７０、１７１、１７４、１７６、１７７、１８３、１８４、１８６、１８７、１８８、１９０、１９３、１９４、１９５、１９６。２００、２０１、２０２、２０４、２０６、２１８、２２１。Ｃ．Ｉ．リアクティブバイオレット１、４、５、６、２２、２４、３３、３６、３８。Ｃ．Ｉ．リアクティブブルー２、３、５、８、１０、１３、１４、１５、１８、１９、２１、２５、２７、２８、３８、３９、４０、４１、４９、５２、６３、７１、７２、７４、７５、７７、７８、７８、８９。１００、１０１、１０４、１０５、１１９、１２２、１４７、１５８、１６０、１６２、１６６、１６９、１７０、１７１、１７２、１７３、１７４、１７６、１７９、１８４、１９０、１９１、１９４、１９５、１９８。２０４、２１１、２１６、２１７。Ｃ．Ｉ．リアクティブグリーン５、８、１２、１５、１９、２３。Ｃ．Ｉ．リアクティブブラウン２、７、８、９、１１、１６、１７、１８、２１、２４、２６、３１、３２、３３。Ｃ．Ｉ．リアクティブブラック１、５、８、１３、１４、２３、３１、３４、３９等の反応性染料。Ｃ．Ｉ．ベーシックブラック２。Ｃ．Ｉ．Ｉｎｋｊｅｔ  Ｂｌａｃｋ２８６。Ｃ．Ｉ．ベーシックブルー１、３、５、７、９、２４、２５、２６、２８、２９。Ｃ．Ｉ．ベーシックレッド１、２、９、１２、１３、１４、３７。Ｃ．Ｉ．ベーシックバイオレット７、１４、２７。Ｃ．Ｉ．フードブラック１、２。この中でも、直接染料、酸性染料、反応性染料を用いることが好ましい。
【００１３】
顔料としては、下記のような顔料を用いることが好ましい。ブラックインクに使用される顔料としては、例えば、Ｎｏ．２３００、Ｎｏ．９００、ＭＣＦ８８、Ｎｏ．４０、Ｎｏ．５２、ＭＡ７、ＭＡ８、Ｎｏ．２２００Ｂ（以上、三菱化成製）。ＲＡＶＥＮ  １２５５（コロンビア製）。ＲＥＧＡＬ  ４００Ｒ、ＲＥＧＡＬ  ６６０Ｒ、ＭＯＧＵＬ  Ｌ（以上、キヤボット製）。Ｃｏｌｏｒ  Ｂｌａｃｋ  ＦＷ１、１８、Ｃｏｌｏｒ  Ｂｌａｃｋ  Ｓ１７０、１５０、Ｐｒｉｎｔｅｘ  ３５、Ｕ（以上、デグッサ製）等。イエローインクに使用される顔料としては、例えば、Ｃ．Ｉ．Ｐｉｇｍｅｎｔ  Ｙｅｌｌｏｗ  １、２、３、１３、１６、７４、８３、９３、１２８、１３４、１４４等。マゼンタインクに使用される顔料としては、例えば、Ｃ．Ｉ．Ｐｉｇｍｅｎｔ  Ｒｅｄ  ５、７、１２、４８（Ｃａ）、４８（Ｍｎ）、５７（Ｃａ）、１１２、１２２、Ｃ．Ｉ．Ｐｉｇｍｅｎｔ  Ｖｉｏｌｅｔ  １９等。シアンインクに使用される顔料としては、例えば、Ｃ．Ｉ．Ｐｉｇｍｅｎｔ  Ｂｌｕｅ  １、２、３、１５：３、１６、２２、Ｃ．Ｉ．Ｖａｔ  Ｂｌｕｅ  ４、６等。
【００１４】
前記いずれの色の顔料に関しても、水中における分散性が十分確保された形で用いることが好ましい。このような形としては、例えば、顔料の表面にカルボン酸塩等の親水性基が付与されていることが挙げられる。或は、重量平均分子量が１，０００〜３０，０００の範囲の水溶性樹脂、例えば、スチレン、スチレン誘導体、ビニルナフタレン、ビニルナフタレン誘導体。α，β−エチレン性不飽和カルボン酸の脂肪族アルコールエステル等の疎水性単量体。アクリル酸、アクリル酸誘導体。マレイン酸、マレイン酸誘導体。イタコン酸、イタコン酸誘導体。フマル酸、フマル酸誘導体。以上から選ばれる二つ以上の単量体からなるブロック共重合体、グラフト共重合体或いはランダム共重合体、またはこれらの塩等が、付着もしくは結合していることが挙げられる。
【００１５】
本発明のインクに含まれる前記色材の量は、インク全量に対して３質量％以上、９質量％以下であることが好ましい。
【００１６】
本発明のインクは、一般式（１）で表される化合物を含有している。本発明のインクは、一般式（１）で表される化合物を含有することで、吐出が安定し、発一性が良好となる。この理由は不明であるが、本発明者らの検討によると、一般式（１）で表される化合物は、染料の溶解度が低いため、インク中での染料の濃縮が抑制され、吐出が安定し、発一性が良好になるのではないかと考えられる。
【００１７】
一般式（１）で表される化合物としては、２−ピコリン、３−ピコリン、４−ピコリンが挙げられるが、水への溶解性が高いという理由から、４−ピコリンが好ましい。また、本発明のインクは、一般式（１）で表される化合物を、インク全量に対して６．０質量％以上含有していることが好ましく、９．０質量％以上含有していることがより好ましい。また、３６．０質量％以下含有していることが好ましく、１１．０質量％以下含有していることがより好ましい。一般式（１）で表わされる化合物が、インク全量に対して６．０質量％未満であると、インク中の溶存空気により気泡が発生し、吐出が不安定になり、発一性が劣化する傾向となる。また、３６．０質量％を超えると、ノズル内にインクが固着し、吐出が不安定になり、発一性が劣化する傾向となる。
【００１８】
本発明のインクは、ノニオン性界面活性剤を含有している。本発明のインクが含有するノニオン性界面活性剤としては、以下のものが好ましい。
【００１９】
例えば、３，５−ジメチル−１−ヘキシン−３オール、２，４，７，９−テトラメチル−５−デシン−４，７−ジオール、３，６−ジメチル−４−オクチン−３，６−ジオール。アセチレングリコールのエチレンオキサイド付加物（例えば、アセチレノールＥＨ；川研ファインケミカル製）。アセチレンアルコールのエチレンオキサイド付加物（例えば、アセチレノールＥＬ；川研ファインケミカル製）。アセチレンまたはアルカンのエチレンオキサイド付加物（例えば、サーフィノール１０４、８２、４６５、４８５；Ａｉｒ  Ｐｒｏｄｕｃｔｓ製）。Ｔｅｒｇｉｔｏｌ  １５−Ｓ−５、Ｔｅｒｇｉｔｏｌ  １５−Ｓ−７（いずれもユニオンカーバイドカンパニー製）。以上のようなノニオン性界面活性剤が挙げられる。ノニオン性界面活性剤は、インク全量に対して０．１質量％以上含有していることが好ましい。また、１０．０質量％以下含有していることが好ましい。
【００２０】
本発明のインクは、インク全量に対して、前記一般式（１）で表される化合物の含有量をａ質量％、前記ノニオン性界面活性剤の含有量をｂ質量％としたときに、前記ａとｂが、
４．０＜ａ／ｂ＜５１．０
の関係を満たすことが好ましい。ノニオン性界面活性剤は、臨界ミセル濃度以上含有させても、さらに定着性が向上するものではない。さらに、一般式（１）で表わされる化合物の含有量に対し、ノニオン性界面活性剤の含有量を増やしすぎると、不揮発成分が増えることにより、発一性が劣化する恐れがある。よって、４．０＜ａ／ｂを満たすことが好ましい。さらには、１６．０＜ａ／ｂを満たすことがより好ましい。また、一般式（１）で表わされる化合物の含有量に対し、ノニオン性界面活性剤が少なすぎると良好な定着性を得ることが困難になる。よって、ａ／ｂ＜５１．０を満たすことが好ましい。さらには、ａ／ｂ＜３４．０を満たすことがより好ましい。
【００２１】
さらに、本発明のインクは、水溶性有機溶剤を含有していることが好ましい。水溶性有機溶剤としては、次のものが好ましい。例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール等の炭素数１〜４アルキルアルコール類。ジメチルホルムアミド、ジメチルアセドアミド等のアミド類。アセトン、ジアセトンアルコール等のケトンまたはケトンアルコール類。テトラヒドロフラン、ジオキサン等のエーテル類。ポリエチレングリコール、ポリプロピレングリコール等のポリアルキレングリコール類。エチレングリコール、プロピレングリコール、ブチレングリコール、トリエチレングリコール、１，２，６−ヘキサントリオール、チオジグリコール、ヘキシレングリコール、ジエチレングリコール等のアルキレングリコール類。グリセリン；エチレングリコールメチル（またはエチル）エーテル、ジエチルレングリコールメチル（またはエチル）エーテル、トリエチレングリコールモノメチル（またはエチル）エーテル等の多価アルコールの低級アルキルエーテル類。Ｎ−メチル−２−ピロリドン、１，３−ジメチル−２−イミダゾリジノン、トリエタノールアミン、スルホラン等。以上のような水溶性有機溶剤が挙げられる。これらの中でも、ジエチレングリコール等の多価アルコール、トリエチレングリコールモノメチル（またはエチル）エーテル等の多価アルコールの低級アルキルエーテルを含有していることが好ましい。該低級アルコールとは、炭素数が１〜５のアルコールのことをいう。インク中の前記水溶性有機溶剤の含有量は、インク全量に対して２０質量％以下であることが好ましく、１０質量％以下であることがより好ましい。
【００２２】
また、本発明のインクは、水を含有している。水としては、種々のイオンを含有する一般の水でなく、脱イオン水を使用するのが好ましい。
【００２３】
また、本発明のインクは、さらにプロキセル等の防黴剤、ｐＨ調整剤等を含んでいても良い。
【実施例】
【００２４】
以下、実施例及び比較例を用いてさらに具体的に説明するが、本発明は、その要旨を超えない限り、下記実施例により限定されるものではない。なお、以下の記載で、「％」とあるものは、特に断らない限り質量基準である。
【００２５】
＜インクの調製＞
表１〜８に示す各成分を混合し、ポアサイズが０．２２μｍのメンブレンフィルタにて加圧濾過して、各インクを調製した。尚、各インクは、合計が１００％になるように調製されている。また、表中の「ノニオン性界面活性剤」とは、全て、アセチレンのエチレンオキサイド付加物であるサーフィノール４６５（Ａｉｒ  Ｐｒｏｄｕｃｔｓ製）である。表１〜４中の「ａ／ｂ」とは、インク中における、前記一般式（１）で表される化合物の含有量をａ％、前記ノニオン性界面活性剤の含有量をｂ％としたときの値である。
【００２６】
【表１】
2009280704.tif 000003
【００２７】
【表２】
2009280704.tif 000004
【００２８】
【表３】
2009280704.tif 000005
【００２９】
【表４】
2009280704.tif 000006
【００３０】
【表５】
2009280704.tif 000007
【００３１】
【表６】
2009280704.tif 000008
【００３２】
【表７】
2009280704.tif 000009
【００３３】
【表８】
2009280704.tif 000010
【００３４】
＜発一性評価＞
インクジェット記録装置として、Ｐｉｘｕｓ９５０ｉ（キヤノン製）を用いた。表１〜８の各インクを該インクジェット記録装置のインクタンクに収納し、記録ヘッド上に６００ｄｐｉの密度で１列に並んだ１２８個の吐出口から、インク滴を記録媒体上に１０００滴づつ吐出し、付着させた。前記記録媒体としては、プロフェッショナルフォトペーパーＰＲ−１０１（キヤノン製）を用いた。印字パターンを図１に示す。最初に、前記記録媒体上に長方形パターン１１を印字した。このパターンを印字した吐出は予備吐に相当し、ノズル内のインク組成をリフレッシュする作用がある。さらにその直後、前記１２８本の吐出口からインク滴を１発ずつ吐出し、前記記録媒体上に基準線１２を印字した。次に、前記記録媒体を前記ノズルの並び方向（図中の記録媒体搬送方向）に５ｍｍだけ搬送した後、１０秒間吐出を休止した。この後に、前記１２８本のノズルから再びインク滴を１発ずつ吐出し、評価線１３を印字した。発一性の評価は、前記基準線と前記評価線に基づき、下記６段階の基準で行った。
６‥基準線と評価線に乱れはない。また、画素は変形していない。
５‥基準線と評価線に乱れはない。また、画素は変形しているが目立ってはいない。
４‥評価線が僅かに乱れ、画素は変形しているが、目立ってはいない。
３‥評価線が乱れている。また画素は変形している。
２‥評価線が激しく乱れている。また画素は激しく変形している。
１‥一部のノズルで液滴が吐出されない。
【００３５】
以上の評価の結果を表９〜１２に示す。尚、気温２５℃・湿度５０％の環境下での結果である。
【００３６】
＜定着性評価＞
インクジェット記録装置として、Ｐｉｘｕｓ９５０ｉ（キヤノン製）を用いた。表１〜８の各インクをインクジェット記録装置のインクタンクに収納し、記録媒体上に、５ｍｍ四方の正方形のベタパターンが市松模様状になるようにインク滴を吐出した。前記記録媒体としては、ホワイトリサイクルペーパーＥＷ−１００（キヤノン製）を用いた。さらに、印字が終了してから１０秒後に、前記市松模様状のベタパターンに対し、ろ紙によって擦り試験を行った。前記ろ紙は、Ｎｏ．５ｃ（東洋ろ紙製）を用いた。定着性の評価は、前記擦り試験の結果に基づき、下記５段階の基準で行った。
５‥前記市松模様状のベタパターンはかすれなかった。
４‥前記市松模様状のベタパターンは僅かにかすれたが、目立たなかった。
３‥前記市松模様状のベタパターンはかすれた。
２‥前記市松模様状のベタパターンは激しくかすれた。
１‥一部のノズルで液滴が吐出されない。
【００３７】
以上の評価の結果を表９〜１２に示す。尚、気温２５℃・湿度５０％の環境下での結果である。
【００３８】
【表９】
2009280704.tif 000011
【００３９】
【表１０】
2009280704.tif 000012
【００４０】
【表１１】
2009280704.tif 000013
【００４１】
【表１２】
2009280704.tif 000014
【００４２】
表９の実施例１〜１３と比較例１〜８の結果を比較すると、ノニオン性界面活性剤と一般式（１）で表される化合物の両方を含有するインクは、発一性と定着性が共に良好であることが分かる。
【００４３】
また、表９の実施例１〜１１と実施例１２の結果を比較すると、一般式（１）で表される化合物の含有量が、インク全量に対して３６．０質量％以下であると、発一性と定着性が共に良好である点で好ましいことが分かる。表９の実施例１〜１１と実施例１３の結果を比較すると、一般式（１）で表される化合物の含有量が、インク全量に対して６．０質量％以上であると、発一性が良好である点で好ましいことが分かる。
【００４４】
また、表９の結果から、インク中における、前記一般式（１）で表される化合物の含有量をａ質量％、前記ノニオン性界面活性剤の含有量をｂ質量％としたときに、
４．０＜ａ／ｂ＜５１．０
の関係を満たすと、発一性と定着性が共に良好であることが分かる。
【００４５】
さらに、表９の実施例１、２、６、７と、実施例３〜５、８〜１１の結果を比較すると、
１６．０＜ａ／ｂ＜３４．０
の関係を満たすことが発一性と定着性が共に良好である点でより好ましいことが分かる。
【００４６】
表１０〜１２の結果は、表９の結果と合わせ、本発明のインクは、色材の種類によらず同様の傾向であることを示している。
【図面の簡単な説明】
【００４７】
【図１】発一性評価に用いる印字パターンを示す模式図である。
【符号の説明】
【００４８】
１０  記録媒体
１１  長方形パターン
１２  基準線
１３  評価線
【図１】
2009280704.tif 000017